(57)【要約】【課題】作物の側方から薬液を散布するべく、吊り下げ支持した懸垂アームを設け、同アームの下端部に側方噴霧ノズルを備える散布装置では、散布幅に対し植付け作物の条数が少なくなった場合、散布しない懸垂アームを上方へ振り上げると共に、夫れ夫れのコックを閉める手間を要するものであった。【解決手段】散布作業車に装備した散布ブーム２に、上下方向の懸垂アーム５を回動自在に取り付ける。この懸垂アーム５の下端部には側方噴霧ノズル３，３を設けると共に、同アームの回動基部に、開閉コック４と、同コック内の流路を開閉操作する「ヘ」の字型の操作片７と、同アーム部材５の回動操作に連動して前記操作片７に当接させて前記開閉コック４内の流路を開閉操作するストッパー６を備える。【選択図】  図１
2007007552.tif 000002
【特許請求の範囲】
【請求項１】
車体（１）に装備した回動自在のアーム部材（５）の下端部に噴霧ノズル（３）を設け、同アーム部材（５）の回動基部に、開閉コック（４）と、同コック（４）内の流路を開閉操作する操作片（７）と、同アーム部材（５）の回動操作に連動して前記操作片（７）に当接させて前記開閉コック（４）の流路を開閉操作するストッパー部材（６）を備えたことを特徴とする散布作業車のノズル支持装置。
【発明の詳細な説明】
【技術分野】
【０００１】
この発明は、散布作業車のノズル支持装置に関し、特に上下方向のアーム部材に備えるノズルの支持装置の構成に関する。
【背景技術】
【０００２】
従来、特開２００３−２８４９８０号公報に示されるように、散布作業車のセンターブームとサイドブームに対し、上下方向のアーム部材（懸垂アーム）を所定間隔毎に垂下して設け、このアーム下端部に側方噴霧ノズルを備える構成が知られている。そして、上記側方噴霧ノズルは、前記懸垂アームを横軸周りに上下回動自在に構成して、下方に垂下した作業状態と、上方に回動した収納状態とに切り替えて保持できるものとなっている。
【０００３】
そして、前記センターブームとサイドブームには、それぞれ配管ホースが設けられて、操縦席側方のコックにてブーム単位で散布を開始、停止させる構成となっている。
【特許文献１】特開2003-284980号
【発明の開示】
【発明が解決しようとする課題】
【０００４】
前記従来の散布装置では、操縦席側方の開閉コックの他、夫れ夫れのノズルの基部に開閉コックを備えるものであり、例えば圃場端で散布幅に対し植付け作物の条数が少なくなった場合等では、散布の必要の無い一部の懸垂アームを上方へ振り上げて収納状態とすると共に、夫れ夫れのコックを閉める手間を要するものであった。
【課題を解決するための手段】
【０００５】
この発明は、上記課題を解決するために、散布作業車のノズル支持装置を以下のように構成した。
即ち、車体（１）に装備した回動自在のアーム部材（５）の下端部に噴霧ノズル（３）を設け、同アーム部材（５）の回動基部に、開閉コック（４）と、同コック（４）内の流路を開閉操作する操作片（７）と、同アーム部材（５）の回動操作に連動して前記操作片（７）に当接させて前記開閉コック（４）の流路を開閉操作するストッパー部材（６）を備えたことを特徴とする散布作業車のノズル支持装置とした。
（発明の作用）
以上のように構成した散布作業車では、作業状態、例えば作物の植付け条列に合わせてアーム部材（５）を使用状態に回動させると、開閉コック（４）の操作片（７）がストッパー部材（６）に当接し、開閉コック（４）内の流路を開放する。
【０００６】
また非使用状態に回動させると、操作片（７）がストッパー部材（６）に当接し、前記の逆の操作で開閉コック（４）内の流路を閉じる。
【発明の効果】
【０００７】
これにより、アーム部材（５）を回動操作するだけで、これに連動して開閉コック（４）内の流路が開閉する構成になっているから、別途開閉コック（４）の開閉操作が不要となり、作業の省力化を図ることができる。
【発明を実施するための最良の形態】
【０００８】
以下、この発明を図面に基づいて説明する。
散布作業車（乗用管理機）は、図５と図６に示すように、車体１上に操縦席８を設け、この操縦席８の左右側方及び後方を平面視「コ」の字型の防除タンク９で取り囲むと共に、前記操縦席８の右側方のタンク９上に操作パネル１０を配置して、同タンク９内の薬液を、操作パネル１０上の各種のコックレバー２９，２９，２９を操作して、センターブーム２Ｃと左右両側のサイドブーム２Ｌ、２Ｒへ送る構成としている。また車体１の後短部には、キャリア台を着脱自在に備え、同キャリア台の左右両側部にタイヤ跡散布装置２５を備える構成となっている。
【０００９】
また散布作業車の散布装置は、図７に示すように、上記防除タンク９と、防除ポンプ１２、調圧装置１８、そして各種の散布ノズル３，３…を備える散布ブーム２Ｃ，２Ｌ，２Ｒを有する構成としている。
【００１０】
詳しくは、前記防除タンク９と防除ポンプ１２は、サクションフィルタ１３と給水コック１４とを備えた給水ホース１５を介して連通され、前記防除タンク９から同ポンプ１２にて吸い出された薬液を、吐水ホース１６を介して流路下手側の調圧装置１８へ送り出す構成としている。また吐水ホース１６には、薬液の一部を前記タンク９内へ戻して同タンク９内の薬液を攪拌させる攪拌ホース１７を分岐する構成としている。
【００１１】
また前記調圧装置１８は、前記吐水ホース１６の終端部を接続し、リリーフ弁１９、エアチャンバ２０、流量制御弁２１、流量センサ２２、余水ホース２４等を備える構成となっている。また調圧装置１８から送り出された薬液の圧を回路下手側の圧力センサ２３にて検出する構成となっている。
【００１２】
また前記調圧装置１８から送られた薬液は、３本の配管ホース１１Ｃ、１１Ｌ、１１Ｒに分岐され、前記操作パネル１０部の各コックレバー２９にて薬液の圧送を開始停止する構成となっている。また各ホースは、車体１前方で左右方向に配するセンターブーム２Ｃと、同ブーム２Ｃの左右両端に回動自在に接続するサイドブーム２Ｌ，２Ｒの各配管路に接続する構成としている。
【００１３】
また前記散布作業車では、センターブーム２Ｃに接続する配管路１１Ｃを利用してタイヤ跡散布装置２５を備える構成と成っている。
詳しくは、前記配管路１１Ｃの途中からホース２６を分岐させ、前記キャリア台の左右両側部に備えた散布ノズル２７、２７から薬液を散布する構成としている。またこのタイヤ跡散布装置２５の散布を開始停止させるコックレバー２８も、前記操作パネル１０に設けている。
【００１４】
また前記タイヤ跡散布装置２５の散布ノズル２７，２７は、図１０と図１１に示すように、基部の回動支点Ｐを中心に前後方向の回動調節と上方へ振り上げて収納可能に構成され、上端部のノブボルト３０によって左右独立してノズル２７への流路を開閉できる構成としている。
【００１５】
尚、図１２と図１３は、前記タイヤ跡散布装置２５の別形態であって、散布ノズル２７，２７の回動基部に電動シリンダ３１を設け、回動支点Ｐを支点にして下端噴霧部が前後に揺動可能に構成している。そして、前記電動シリンダ３１は、別途備えたコントローラからの制御信号に基づいて伸長作動し、図１２に示すように、散布作業車７の後進操作に連動させて前記散布ノズル２７，２７を、実線の位置から後方の仮想線の位置まで後退退避させる構成としている。また符合３５は、後輪３３の回転に伴って直接泥土が付着しないようノズル周囲を取り囲むカバーを示す。
【００１６】
次に、この発明の主要部となるセンターブーム２Ｃと左右サイドブーム２Ｌ，２Ｒに取り付ける側方噴霧ノズル３について説明する。
散布作業車７は、図６に示すように、センターブーム２Ｃの左右両側端に左サイドブーム２Ｌと右サイドブーム２Ｒとを側方へ拡開自在に取り付け、作業時には前記サイドブーム２Ｌ，２Ｒを広げて散布作業を行なう構成となっている。
【００１７】
そして、この発明では、図１と図２に示すように、各ブーム２Ｃ，２Ｌ，２Ｒに対し、下方を開放した「コ」字型の懸垂アーム取付用ブラケット４０を所定間隔毎にボルト４１で取り付けている。また前記ブラケット４０は、作物の植付け間隔に対応するべく、ブーム２の長手方向にスライドして取付位置を移動調節可能に構成されている。
【００１８】
そして、この発明のアーム部材となる懸垂アーム５は、この上端部を前記ブラケット４０と一体の取付板４３、詳しくは同板４３に構成した左右方向の回動軸４４に回動自在に支持し、図１（Ａ）の作業位置と、同図（Ｂ）の収納位置とに切り替え可能としている。そして、前記懸垂アーム５は、前記取付板４３との間にスプリングＳを介装し、車体前方へ付勢する構成としている。
【００１９】
また懸垂アーム５上部には、前記取付板４３に中間部を固着し、上下両端部を屈曲させて係止部６ａ、６ｂとしたピン状のストッパー６を設け、前記係止部６ａ、６ｂにて前記懸垂アーム５を押えることで起立姿勢に保持する構成としている。
【００２０】
また前記懸垂アーム５に沿わせて取り付けるホース（以下、懸垂ホース４７）は、この基端部を前記配管ホース１１（１１Ｃ，１１Ｌ，１１Ｒ）に接続し、先端部に２つのノズル（以下、側方噴霧ノズル３）を取り付けている。そして懸垂ホース４７は、基部の取付板４３に近い部位に筒状の開閉コック４を装備し、コック外側に設けた略「へ」の字型の操作片７を回動操作することで内部流路を開閉する構成としている。
【００２１】
また前記コック４の操作片７は、前記ストッパー６の下端部６ａに当接する位置に配置され、前記懸垂アーム５の上下の回動操作に伴って、ストッパー６が操作片７に接触し角度を変えることで、前記の通り、内部流路の開度αを変える構成となっている。詳しくは、図３に示すように、懸垂アーム５を上方へ回動、即ち収納位置へ回動させると、前記操作片７は、定位置にある前記ストッパー６の下側係止部６ａに係合して回転され、（Ａ）、（Ｂ）、（Ｃ）、（Ｄ）の順で、コック４を閉め操作する構成としている。一方、同アーム５を下方へ回動、即ち作業位置に戻すと、前記図３の（Ｄ）、（Ｃ）、（Ｂ）、（Ａ）の順序でコック４の内部流路が広がって散布が可能となる。
【００２２】
また前記側方噴霧ノズル３は、図３の（Ａ）に示す位置では、操作片７と懸垂アーム５とのなす角度が大きく、前記コック４の開度αを最大として噴霧が行なわれる状態となり、また図３の（Ｄ）に示す位置では、内部流路の開度が０となって送液を遮断する状態となる。
【００２３】
尚、同懸垂アーム５は、図２に示すように、前記回動軸４４をスプリングの張力に抗して引き抜き、仮想線の位置まで移動するとストッパー６の下部係止部６ａから離れ、操作片７だけが同ストッパー６の当接位置となって上方へ回動可能となる。
【００２４】
以上のように、懸垂アーム５を上方へ回動操作するだけで、これに連動して開閉コック４内の流路が閉まり、また下方へ回動操作するだけで、これに連動して開閉コック４内の流路が開く構成になっているので、植付け作物の条数に応じて懸垂アーム５を収納位置とする際、別途開閉コック４の開閉操作が不要となり、作業の省力化を図ることができる。またここでは、前記操作片７を当接させるストッパー６と、スプリングＳに抗して懸垂アーム５を保持するストッパーとを兼用する構成としたので、別途部品で構成するものと比較して、部品点数をコストを削減することができる。
【００２５】
また前記発明の別形態としては、車体後部に備えたタイヤ跡散布ノズル２７の回動基部に備える構成としても良い。
尚、図４に示す側方噴霧ノズル３は、比較例として従来の構成を示したものであり、符号５０は、配管ホース１１を上下左右に回動しても、捻じれたり、折れ曲がったりすることがない様、スイベルジョイント５０を介して連結する構成としている。
【図面の簡単な説明】
【００２６】
【図１】（Ａ）作業位置の側方噴霧ノズルの側面図。（Ｂ）収納位置の側方噴霧ノズルの側面図。
【図２】コック周囲の拡大正面図。
【図３】コックの開度と作動片とストッパーの関係を示す図。
【図４】従来の側方噴霧ノズルの構成を示す正面図。
【図５】散布幅を調節したブームの一部正面図。
【図６】散布作業車の平面図。
【図７】散布装置の配管系統図。
【図８】タイヤ跡散布ノズルを装備した散布作業車の側面図。
【図９】図８の散布作業車の一部拡大図。
【図１０】タイヤ跡散布ノズルの作用側面図。
【図１１】タイヤ跡散布ノズルの側面図。
【図１２】タイヤ跡散布ノズルの作用側面図。
【図１３】タイヤ跡散布ノズルに泥除けカバーを取り付けた側面図。
【符号の説明】
【００２７】
１    車体
２    散布ブーム
２Ｃ  センターブーム
２Ｌ  左サイドブーム
２Ｒ  右サイドブーム
３    噴霧ノズル（側方噴霧ノズル）
４    開閉コック
５    懸垂アーム（アーム部材）
６    ストッパー
７    操作片
【図１】
2007007552.tif 000003
【図２】
2007007552.tif 000004
【図３】
2007007552.tif 000005
【図４】
2007007552.tif 000006
【図５】
2007007552.tif 000007
【図６】
2007007552.tif 000008
【図７】
2007007552.tif 000009
【図８】
2007007552.tif 000010
【図９】
2007007552.tif 000011
【図１０】
2007007552.tif 000012
【図１１】
2007007552.tif 000013
【図１２】
2007007552.tif 000014
【図１３】
2007007552.tif 000015